(57)【要約】【課題】駐車場提供者及び駐車場利用希望者の双方が互いに納得のいく条件での予約成立を促すことができ、空き駐車場の利用率を改善すること。【解決手段】駐車場予約依頼を行う乗用車設置装置２２から検索要求を行い、空き駐車場の予約を仲介する駐車場管理サーバ１１において前記検索要求を受け、駐車場管理データベース１３から当該検索条件に合致する空き駐車場を検索する。検索条件に合致する空き駐車場が検出されなかった場合、希望エリアにおいて空き駐車場を登録している駐車場提供者の駐車場オーナー装置２３に対して利用者側の希望料金を明示した駐車場空き紹介を配信する。駐車場空き紹介に対して駐車場管理サーバ１１に承認を返して来た駐車場提供者の空き駐車場を乗用車設置装置２２へ通知する。【選択図】図７
2008077444.tif 000002
【特許請求の範囲】
【請求項１】
駐車場の貸出し条件が登録された登録空き駐車場データベースと、
利用者側装置から検索条件を特定した検索要求を受け、当該検索条件に合致する空き駐車場を前記登録空き駐車場データベースから検索して検索結果を返す駐車場管理サーバと、を備え、
前記駐車場管理サーバは、前記検索条件に合致する空き駐車場が検出されなかった場合、利用者側希望エリア内に空き駐車場を登録している駐車場提供者の提供者側装置に対して利用者側の希望料金を明示した駐車場空き紹介を配信し、駐車場空き紹介に対して承認を返して来た駐車場提供者の空き駐車場を前記利用者側装置へ通知することを特徴とする駐車場予約システム。
【請求項２】
前記駐車場管理サーバは、前記検索条件に合致する空き駐車場が検出されなかった場合、その旨の検索結果を要求元の利用者側装置へ通知し、当該利用者側装置から駐車場空き紹介を希望する旨の検索要求があれば、前記駐車場空き紹介の配信を行うことを特徴とする請求項１記載の駐車場予約システム。
【請求項３】
空き駐車場の予約を仲介するセンタ側システムと、前記センタ側システムに対して無線ネットワーク経由で駐車場予約依頼を行う利用者側装置と、前記センタ側システムに空き駐車場を登録する駐車場提供者が前記センタ側システムと情報交換するための提供者側装置と、を備えた駐車場予約システムであり、
前記センタ側システムは、前記利用者側装置から検索条件を特定した検索要求を受け取ると、駐車場の貸出し条件が登録された登録空き駐車場データベースから当該検索条件に合致する空き駐車場を検索し、前記検索条件に合致する空き駐車場が検出されなかった場合、利用者側希望エリア内に空き駐車場を登録している駐車場提供者の提供者側装置に対して利用者側の希望料金を明示した駐車場空き紹介を配信し、駐車場空き紹介に対して承認を返して来た駐車場提供者の空き駐車場を前記利用者側装置へ通知することを特徴とする駐車場予約システム。
【請求項４】
前記利用者側装置は、利用者の乗用車に搭載されていることを特徴とする請求項３記載の駐車場予約システム。
【請求項５】
駐車場予約依頼を行う利用者側装置から空き駐車場の予約を仲介する駐車場管理サーバに対して検索条件を特定した検索要求を行うステップと、
前記駐車場管理サーバが、駐車場の貸出し条件が登録された登録空き駐車場データベースから前記検索条件に合致する空き駐車場を検索するステップと、
前記検索条件に合致する空き駐車場が検出されなかった場合、利用者側希望エリア内に空き駐車場を登録している駐車場提供者の提供者側装置に対して利用者側の希望料金を明示した駐車場空き紹介を配信するステップと、
駐車場空き紹介に対して前記駐車場管理サーバに承認を返して来た駐車場提供者の空き駐車場を前記利用者側装置へ通知するステップと、
を具備したことを特徴とする駐車場予約方法。
【発明の詳細な説明】
【技術分野】
【０００１】
本発明は、駐車場提供者及び駐車場利用希望者を、無線ネットワークを経由して仲介する駐車場予約システムに関する。
【背景技術】
【０００２】
従来、駐車場利用希望者が、利用希望者端末から希望エリア、希望時間帯等を検索条件にしてサーバ上で駐車場を検索し、遠隔から予約可能にした駐車場予約システムが提案されている（例えば、特許文献１参照）。特許文献１記載の駐車場予約システムでは、空き駐車場データベースで空き駐車場、利用可能時間、料金等を管理し、借り手側ユーザ端末（ＰＣ、携帯電話）から検索条件（行き先、利用日時、料金）が通知されると、条件に合致する駐車場リストを借り手側ユーザ端末に表示して、リストから選択された駐車場を予約する。
【０００３】
また、自宅又は会社等の駐車場（オーナー駐車場）が空車となる期間に一時的に他者にそのオーナー駐車場を貸すための合間貸しシステムが提案されている（例えば、特許文献２参照）。特許文献２記載の合間貸しシステムでは、貸与者が合間貸しする期間をサーバに登録すると、その情報が空き駐車場データベースに登録される。賃借者が日時、場所等を指定して空き駐車場検索を行うと、条件に合致する空き駐車場情報を賃借者へ提供するように構成されている。
【特許文献１】特開２００１−３３１６８３号公報
【特許文献２】特開２００２−３２４１３８号公報
【発明の開示】
【発明が解決しようとする課題】
【０００４】
しかしながら、上記従来の駐車場予約システム及び合間貸しシステムは、複数の駐車場提供者が各々提示した提供料金等の提供条件の中から駐車場利用希望者が希望の駐車場を落札するオークション形式に類似する方式を採用しているものの、駐車場提供者が各自の提供条件を一方的に提示するだけであって、駐車場提供者からは駐車場を探している駐車場利用希望者がどの程度の利用料金を希望しているのか不明であった。このため、駐車場提供者の提供条件と駐車場利用者の利用条件とが不一致の場合は、駐車場を探している駐車場利用希望者が存在するにも拘わらず空き駐車場が利用されないといった問題があった。
【０００５】
本発明は、駐車場利用希望者の希望する利用料金を駐車場提供者に知らせることができ、駐車場提供者及び駐車場利用希望者の双方が互いに納得のいく条件での予約成立を促すことができ、空き駐車場の利用率を改善することのできる駐車場予約システム提供することを目的とする。
【課題を解決するための手段】
【０００６】
本発明の駐車場予約システムは、駐車場の貸出し条件が登録された登録空き駐車場データベースと、利用者側装置から検索条件を特定した検索要求を受け、当該検索条件に合致する空き駐車場を前記登録空き駐車場データベースから検索して検索結果を返す駐車場管理サーバとを備え、前記駐車場管理サーバは、前記検索条件に合致する空き駐車場が検出されなかった場合、利用者側希望エリア内に空き駐車場を登録している駐車場提供者の提供者側装置に対して利用者側の希望料金を明示した駐車場空き紹介を配信し、駐車場空き紹介に対して承認を返して来た駐車場提供者の空き駐車場を前記利用者側装置へ通知することを特徴とする。
【０００７】
この構成によれば、利用者が提示した検索条件に合致する空き駐車場が検出されなかった場合であっても、希望エリアにおいて空き駐車場を登録している駐車場提供者に利用者側の希望料金を明示した駐車場空き紹介がなされ、利用者側の希望料金を承認した駐車場提供者の空き駐車場が利用者側に伝えられるので、駐車場提供者及び駐車場利用希望者の双方が互いに納得のいく条件での予約成立を促すことができ、空き駐車場の利用率を改善することができる。
【０００８】
また本発明は、上記駐車場予約システムにおいて、前記駐車場管理サーバは、前記検索条件に合致する空き駐車場が検出されなかった場合、その旨の検索結果を要求元の利用者側装置へ通知し、当該利用者側装置から駐車場空き紹介を希望する旨の検索要求があれば、前記駐車場空き紹介の配信を行うことを特徴とする。
【０００９】
この構成により、利用者側に検索条件に合致する空き駐車場が検出されなかったことを通知した上で、駐車場提供者に駐車場空き紹介を行うか否かを利用者側に判断させることができる。駐車場空き紹介を付加サービスとして提供する場合に利用者側のサービス利用意思を確認することができ、付加サービスに対する課金が容易になる。
【００１０】
また本発明の駐車場予約システムは、空き駐車場の予約を仲介するセンタ側システムと、前記センタ側システムに対して無線ネットワーク経由で駐車場予約依頼を行う利用者側装置と、前記センタ側システムに空き駐車場を登録する駐車場提供者が前記センタ側システムと情報交換するための提供者側装置と、を備えた駐車場予約システムであり、前記センタ側システムは、前記利用者側装置から検索条件を特定した検索要求を受け取ると、駐車場の貸出し条件が登録された登録空き駐車場データベースから当該検索条件に合致する空き駐車場を検索し、前記検索条件に合致する空き駐車場が検出されなかった場合、利用者側希望エリア内に空き駐車場を登録している駐車場提供者の提供者側装置に対して利用者側の希望料金を明示した駐車場空き紹介を配信し、駐車場空き紹介に対して承認を返して来た駐車場提供者の空き駐車場を前記利用者側装置へ通知することを特徴とする。
【００１１】
また本発明は、上記駐車場予約システムにおいて、前記利用者側装置は、利用者の乗用車に搭載されていることを特徴とする。
【００１２】
また本発明の駐車場予約方法は、駐車場予約依頼を行う利用者側装置から空き駐車場の予約を仲介する駐車場管理サーバに対して検索条件を特定した検索要求を行うステップと、前記駐車場管理サーバが、駐車場の貸出し条件が登録された登録空き駐車場データベースから前記検索条件に合致する空き駐車場を検索するステップと、前記検索条件に合致する空き駐車場が検出されなかった場合、利用者側希望エリア内に空き駐車場を登録している駐車場提供者の提供者側装置に対して利用者側の希望料金を明示した駐車場空き紹介を配信するステップと、駐車場空き紹介に対して前記駐車場管理サーバに承認を返して来た駐車場提供者の空き駐車場を前記利用者側装置へ通知するステップとを具備したことを特徴とする。
【発明の効果】
【００１３】
本発明によれば、駐車場利用希望者の希望利用料金を駐車場提供者に知らせることができ、駐車場提供者及び駐車場利用希望者の双方が互いに納得のいく条件での予約成立を促すことができ、空き駐車場の利用率を改善することができる。
【発明を実施するための最良の形態】
【００１４】
以下、本発明の実施の形態について添付図面を参照して詳細に説明する。
図１は本発明の一実施の形態に係る駐車場予約システムの全体構成図である。本実施の形態に係る駐車場予約システムは、駐車場予約システムのセンタ側にサーバ及び各種データベースで構成されるセンタ側システム１０を備え、駐車場予約システムのローカル側に各駐車場に設置される駐車場設置装置２１、乗用車に設置される乗用車設置装置２２、駐車場オーナーが使用する通信端末である駐車場オーナー装置２３が備えられる。センタ側システム１０と駐車場予約システムのローカル側（２１，２２，２３）とは無線ネットワーク２４を経由して通信可能に構成されている。本例では、無線ネットワーク２４として既存の携帯電話用無線通信インフラ（基地局、無線ＬＡＮ、パケット通信網等）を利用するが、その他の無線通信網を利用しても良い。
【００１５】
この駐車場予約システムは、駐車場提供者が駐車場オーナー装置２３からセンタ側システム１０に予め駐車場の提供条件等を登録する。一方、駐車場利用希望者が乗用車設置装置２２からセンタ側システム１０へ検索条件となる利用条件を提示して検索要求を送信し、予約が成立すると駐車場設置装置２１へ予約情報を通知する。そして、駐車場提供者による提供条件と駐車場利用希望者よる利用条件（検索条件）とが不一致であった場合は、センタ側システム１０から駐車場提供者の駐車場オーナー装置２３に対して駐車場利用希望者の希望料金等を通知して駐車場提供承認者を募ることで空き駐車場の利用率を改善するようにしている。
【００１６】
図２はセンタ側システム１０の構成を示す機能ブロック図である。センタ側システム１０は、空き駐車場の仲介処理を実行する駐車場管理サーバ１１と、顧客プロファイルが登録され認証機能を備えた顧客データベース１２と、駐車場提供者から提供条件が登録されると共に成立した予約情報を管理する駐車場管理データベース１３と、データ送受信のために無線ネットワーク２４との間で各プロトコルに従った通信制御を行う通信制御部１４とを備える。
【００１７】
顧客データベース１２には、駐車場予約サービスを受けるための契約（又は登録）をしている会員（駐車場利用希望者）に付与された識別番号、住所、連絡先、決済方法等の顧客プロファイルが登録されている。顧客データベース１２は、認証要求された顧客識別番号を用いてデータベース検索を掛け、ヒットすれば会員認証ＯＫを返す認証サーバとして機能する。識別番号だけではなく暗証番号と組み合わせた認証も可能である。
【００１８】
駐車場管理データベース１３は、図３に示すように駐車場オーナーから申請された提供駐車場及び提供条件が登録される登録空き駐車場データベース(同図（ａ）)と、予約成立した駐車場予約内容が登録された予約管理データベース（同図（ｂ））とから構成される。
【００１９】
図３（ａ）に示すように、登録空き駐車場データベースは、駐車場オーナーから登録された空き駐車場に関して提供条件が登録されている。具体的には、駐車場オーナーの識別番号、提供駐車場の属するエリア番号を示す駐車場エリア、駐車場の貸出し時間帯、貸出し駐車場の単位時間当たりの使用料金、駐車場自体又は駐車場内での駐車位置を特定する駐車場番号が登録される。その他にも、駐車場が屋内であるか否か、大型トラックの駐車可否情報、電気自動車に対する充電機能の有無等の施設機能情報を登録できるようにしても良い。エリア番号は、駅周辺地域、繁華街周辺地域等のように特定の区画された地域を特定する番号である。
【００２０】
図３（ｂ）に示すように、予約管理データベースは、予約成立した駐車場の駐車場番号、予約時間帯、利用決済結果、駐車場利用者の識別番号、その他の付加情報等が登録される。付加情報としては、例えば延長可能時間を登録できるようにしているが、その他の情報であっても良い。
【００２１】
図４は駐車場設置装置２１の機能ブロック図である。駐車場には、入出庫ゲートの開閉装置３０が設置されているものとする。駐車場設置装置２１は、装置全体の動作を制御しているＣＰＵで構成される演算処理部３１を備える。駐車場設置装置２１では、空車検出センサ３２が開閉装置３０の動作状態から空車か否かを検出しているが、荷重センサ又は光学式センサで空車／駐車を検出するようにしても良い。例えば、空車であることが検出された場合は空車検出信号をＯＮとし（空車）、駐車中であることが検出されている場合は空車検出信号をＯＦＦとして駐車中であることを示す。開閉制御部３３は、演算処理部３１からの指令信号を受けて入出庫ゲートを開閉制御する。演算処理部３１が乗用車設置装置２２から入庫要求を受信した際に入出庫ゲートを開門すると共に入庫が完了する所定時間経過後に閉門するように開閉装置３０を制御する。また、演算処理部３１が乗用車設置装置２２から出庫要求を受信した際に入出庫ゲートを開門する共に出庫が完了する所定時間経過後に閉門するように開閉装置３０を制御する。
【００２２】
なお、入出庫ゲートの代わりに、駐車場の地中に車輪止めを埋設し、この車輪止めを開閉装置３０から制御するようにしても良い。駐車状態では、車輪止めを立てた状態に制御し、空車状態では車止めが倒れた状態となるように制御する。駐車場設置装置２１において空車／駐車が検出できれば、その検出方式は限定されるものではない。
【００２３】
無線通信機能部３４は、演算処理部３１が無線ネットワーク２４を経由してセンタ側システム１０とデータ通信する際の通信手段である。センタ側システム１０との間で駐車場使用時間等のデータを送受信する。無線通信機能部３４は、さらに乗用車設置装置２２との間で無線近距離通信する機能を備えるようにしても良い。乗用車設置装置２２との間で近距離通信により情報を交換できるようにする。
【００２４】
図５は駐車場オーナー装置２３の機能ブロック図である。駐車場オーナー装置２３は、Ｗｅｂ閲覧機能及びメール機能を備えた携帯電話機で構成することができる。演算処理部４１は、装置全体の動作を制御していてＣＰＵで構成される。メール受信部４２は、自分の提示条件と駐車場利用希望者の利用条件とが一致しなかった場合に、センタ側システム１０から配信される駐車場利用希望者の利用条件を含んだ駐車場空紹介メールを自動受信する部分である。ディスプレイ４３及び入出力インターフェース４４を介して受信メールを表示し、また予約成立した駐車場予約情報を表示することができるようにしている。また、駐車場オーナー装置２３は、無線通信機能部４５を介してセンタ側システム１０との間で駐車場空紹介メールや駐車場予約情報を送受信する。
【００２５】
図６は、乗用車設置装置２２の機能ブロック図である。乗用車設置装置２２は、ＣＰＵで構成される演算処理部５１を備え、センタ側システム１０と通信して駐車場空検索及び駐車場予約のための処理を実行する。乗用車設置装置２２の現在位置は測位手段となるＧＰＳ５２で測定する。ディスプレイ５３及び入出力インターフェース５４を介して駐車場空検索、駐車場予約が行えるようにしている。無線通信機能部５５は、演算処理部５１が無線ネットワーク２４を経由してセンタ側システム１０とデータ通信する際の通信手段である。センタ側システム１０との間で駐車場空検索、駐車場予約に関するデータを送受信する。無線通信機能部５５は、さらに駐車場設置装置２１との間で無線近距離通信する機能を備えるものとする。
【００２６】
次に、以上のように構成された本実施の形態に係る駐車場予約システムの動作について説明する。センタ側システム１０の駐車場管理データベース１３に、図３（ａ）に示す登録空き駐車場データベースが登録されているものとし、駐車場オーナー装置２３からの駐車場登録要求に応じて追加登録される一方、予約成立した登録空き駐車場が削除される。
【００２７】
図７及び図８は、空き駐車場の検索開始から駐車場予約又は駐車場空き検索ＮＧまでのシーケンス図である。自動車に搭乗している駐車場利用希望者は、乗用車設置装置２２の入出力インターフェース５４を操作してセンタ側システム１０に対し無線ネットワーク２４経由で駐車場空き検索要求を発する。駐車場空き検索要求には、駐車場利用希望者の識別番号、現在エリア番号、希望エリア番号、希望料金、希望時間帯といった利用条件が含まれる。乗用車設置装置２２では、入出力インターフェース５４からの操作入力に応じてディスプレイ５３に駐車場空き検索画面を表示し、希望エリア番号、希望料金、利用時間帯といった条件を入力できるようにする。駐車場利用希望者本人の識別番号は初期設定時に当該乗用車設置装置２２に入力されたデータが保存されていて自動的に設定されるものとする。また、エリア番号は現在位置から自動的に計算できるので、演算処理部５１がＧＰＳ５２から現在位置情報を取り込んで該当するエリア番号に変換して駐車場空き検索要求に設定する。駐車場空き検索画面に必要データを入力した後、入出力インターフェース５４から決定を入力すると、無線通信機能部５５から無線ネットワーク２４を経由してセンタ側システム１０へ送信される。
【００２８】
センタ側システム１０では、駐車場管理サーバ１１が駐車場空き検索要求を受けて駐車場空き検索を行う。先ず、駐車場空き検索要求から自識別番号を取り出して顧客データベース１３に対して会員認証要求を出す。
【００２９】
顧客データベース１３は、会員認証要求を受け取ると当該会員認証要求で指定された識別番号の検索を実行する。データベース検索の結果、登録されていることが確認できれば、会員認証完了（識別ＯＫ）を駐車場管理サーバ１１へ返す。登録されていなければ識別ＮＧを返す。
【００３０】
駐車場管理サーバ１１は、会員認証完了（識別ＯＫ）を受け取ると、当該駐車場空き検索要求から希望エリア番号、希望時間帯、希望料金を取り出し、この利用条件に合致する登録空き駐車場を駐車場管理データベース１３から検索する。なお、識別ＮＧであった場合は、検索要求元の乗用車設置装置２２へ識別番号の再入力を要求する。
【００３１】
図３（ａ）に示す駐車場管理データベース１３の登録空き駐車場データベースから希望エリア番号と一致するエリア番号が登録されている登録空き駐車場を検索する。この時点で該当する登録空き駐車場が無ければＮＧ判定する。一方、エリア番号が一致する登録空き駐車場が存在した場合、当該登録空き駐車場群中に希望時間帯が貸し出し時間帯に含まれる登録空き駐車場が存在するか否か判定する。この時点で該当する登録空き駐車場が無ければＮＧ判定する。また、エリア条件をクリアした登録空き駐車場群中に希望時間帯が貸し出し時間帯に含まれる登録空き駐車場が存在すれば、時間帯条件をクリアした登録空き駐車場群中に希望料金以下の料金が提示された登録空き駐車場が存在するか否か判断する。希望料金以下の提示料金となる登録空き駐車場が存在しなかった場合はＮＧ判定する。
【００３２】
駐車場管理データベース１３は、エリア、時間帯、料金の何れかの条件がクリアされなかった時点で、駐車場空き検索要求の利用条件を満足する登録空き駐車場は検索されなかったことを示す「駐車場収集ＮＧ」を駐車場管理サーバ１１へ返す。
【００３３】
ここで、従来のオークション型駐車場予約システムであれば、料金、時間帯、エリアの何れかの条件がクリアされなかった時点で「予約不成立」が駐車場利用希望者に伝えられて処理が終了する。
【００３４】
本実施の形態においても、駐車場管理サーバ１１は「駐車場収集ＮＧ」を受け取ると、今回の駐車場空き検索要求の利用条件では該当する登録空き駐車場は存在しなかったことを連絡する駐車場空き検索結果（ＮＧ）を乗用車設置装置２２へ送信する。
【００３５】
乗用車設置装置２２では、演算処理部５１が駐車場空き検索結果（ＮＧ）を受け取ると、今回の駐車場空き検索要求の利用条件では該当する登録空き駐車場は存在しなかったことを示すメッセージをディスプレイ５３に表示する。
【００３６】
本実施の形態は、上記駐車場空き検索結果（ＮＧ）に基づくメッセージを表示した場合、さらにプッシュ型の駐車場空き検索を希望するか否かを確認するメッセージを表示する。プッシュ型の駐車場空き検索では、駐車場利用希望者の利用条件を、該当エリアに駐車場登録している駐車場提供者に対して、駐車場利用希望者の利用条件で承諾の意思があるか否かを問い合わせる通知を駐車場管理サーバ１１から配信する。
【００３７】
なお、プッシュ型の駐車場空き検索を付加サービスとしておき、かかる付加サービスを利用する場合は追加料金を徴収するようにする。又は、付加サービスを契約している会員だけが利用できるようにしても良い。
【００３８】
プッシュ型駐車場空き検索の確認メッセージがディスプレイ５３に表示されたならば、入出力インターフェース５４から再駐車場空き検索又は検索中止を入力する。ここでは、再駐車場空き検索が行われる場合について説明する。
【００３９】
駐車場利用希望者は、再駐車場空き検索を入力し、必要ならば希望エリア番号、希望料金、希望時間帯等の利用条件を再入力する。希望料金を上げることにより空き駐車場を迅速に確保できる可能性が高くなる。再駐車場空き検索を入力したら、前回入力した希望エリア番号、希望料金、希望時間帯等の利用条件が既に入力された画面を表示し、必要に応じて利用条件を変更できるようにしても良い。利用条件を確認して再駐車場空き検索要求を乗用車設置装置２２から発する。
【００４０】
駐車場管理サーバ１１は、乗用車設置装置２２から再駐車場空き検索要求を受信すると、希望エリア番号を取り出して該当エリア駐車場情報要求を駐車場管理データベース１３に対して発行する。
【００４１】
駐車場管理データベース１３は、該当エリア駐車場情報要求を受けて希望エリア番号と一致するエリア番号が設定された登録空き駐車場を登録空き駐車場データベース(図３（ａ）)から検索する。検索結果は収集情報マトリックスの形式で該当駐車場群情報として駐車場管理サーバ１１に返される。例えば、収集情報マトリックスとして、駐車場番号Ａ，料金Ｐ１，時間帯Ｔ１；……；駐車場番号Ｎ，料金Ｐｎ，時間帯Ｔｎといった形式の情報が返される。
【００４２】
駐車場管理サーバ１１は、収集情報マトリックスに含まれた登録空き駐車場の各駐車場オーナー装置２３に対して駐車場空き紹介を無線ネットワーク２４経由で通知する。駐車場空き紹介には、再駐車場空き検索要求に設定されている希望料金、希望時間帯を明示する。すなわち、駐車場利用希望者が希望しているエリアに駐車場を登録している全駐車提供者に対して、現状では駐車場提供者の提示条件と駐車場利用希望者の利用条件とが一致しないが、駐車場利用希望者が現時点で希望している料金及び時間帯が駐車場空き紹介という形で通知される。
【００４３】
駐車場空き紹介を通知された駐車場提供者は、自分が現在提示している料金及び又は時間帯を変更して駐車場利用希望者の利用条件に合わせる意思があれば、駐車場空き承認を駐車場管理サーバ１１へ返すことになる。これにより、駐車場提供者は当初の提供条件では予約成立しない場合であっても、現時点での駐車場利用希望者による希望料金及び希望時間帯に応じて予約を確保する行動を取る事ができる。
【００４４】
駐車場管理サーバ１１は、駐車場空き紹介を通知した全ての駐車場オーナー装置２３について駐車場空き承認を受信したか否かチェックする。先に取得した収集情報マトリックスから駐車場空き承認を受信しなかった駐車場を削除する。そして、駐車場提供者が駐車場空き承認した駐車場だけからなる収集情報マトリックスを生成し、駐車場空き検索結果として要求元の乗用車設置装置２２へ送信する。なお、全ての駐車場オーナー装置２３から駐車場空き承認が受信されなかった場合は、駐車場検索結果（ＮＧ）を要求元の乗用車設置装置２２へ送信する。
【００４５】
乗用車設置装置２２では、再駐車場空き検索要求に対する応答として駐車場空き検索結果を受信する。乗用車設置装置２２のディスプレイ５３には、再駐車場空き検索に設定した利用条件に合致する駐車場が収集情報マトリックスに基づいてリスト表示される。駐車場利用希望者は、乗用車設置装置２２のディスプレイ５３に表示された駐車場リストの中から所望の駐車場を選択する。演算処理部５１は、入出力インターフェース５４に対する操作入力から選択された駐車場を認識し、当該駐車場を予約するための駐車場指定（駐車場番号、時間帯）を無線ネットワーク２４経由で駐車場管理サーバ１１へ送信する。
【００４６】
駐車場管理サーバは、乗用車設置装置２２から駐車場指定（駐車場番号、時間帯）を受信すると、駐車場管理データベース１３において指定駐車場の予約登録を行う。具体的には、図３（ａ）に示す登録空き駐車場データベースから今回予約が成立した指定駐車場に関する情報を削除して駐車場登録を抹消する。一方、図３（ｂ）に示す予約管理データベースに、予約成立した指定駐車場の駐車場番号、予約時間帯、料金決済結果、利用者側識別番号、その他の付加情報を登録する。
【００４７】
駐車場管理サーバは、駐車場管理データベース１３から予約登録完了の報告を受け取ると、予約した駐車場利用者の乗用車設置装置２２へ駐車場予約完了の報告を無線ネットワーク２４経由で送信する。さらに、駐車場管理サーバは、今回予約された駐車場のオーナーの駐車場オーナー装置２３へ登録空き駐車場が予約されたことを知らせる駐車場予約通知を送信すると共に予約された駐車場の駐車場設置装置２１に対して駐車場予約通知を無線ネットワーク２４経由で通知する。駐車場予約通知には、駐車場利用者の識別番号、予約時間帯、料金決済結果が含まれる。以上のようにして駐車場予約の処理が完了する。
【００４８】
このように本実施の形態によれば、駐車場利用希望者の利用条件では予約成立しなかった場合に、希望エリアに駐車場登録している全ての駐車場オーナー装置２３に対して駐車場空き紹介（希望料金、時間帯）を通知し、その駐車場空き紹介で示された希望料金、時間帯でも駐車場を貸し出したいという駐車場提供者から駐車場空き承認を得るようにしたので、駐車場提供者は当初の提供条件では予約成立しない場合であっても、現時点での駐車場利用希望者による希望料金及び希望時間帯に応じて予約を確保する行動を取る事ができ、空き駐車場の利用効率を改善することができる。
【００４９】
なお、以上の説明では駐車場利用希望者が駐車場予約依頼を行う通信装置が自動車に設置された乗用車設置装置２２であったが、自動車に設置されていなくても駐車場利用希望者が携帯する情報通信端末であっても良い。
【産業上の利用可能性】
【００５０】
本発明は、無線ネットワークを経由して駐車場の仲介を行う駐車場予約システムに適用可能である。
【図面の簡単な説明】
【００５１】
【図１】本発明の一実施の形態に係る駐車場予約システムの全体図
【図２】図１に示すセンタ側システムの機能ブロック図
【図３】（ａ）は図２に示す駐車場管理データベースにおける登録空き駐車場データベースの構成図、（ｂ）は図２に示す駐車場管理データベースにおける予約管理データベースの構成図
【図４】駐車場設置装置の機能ブロック図
【図５】駐車場オーナー装置の機能ブロック図
【図６】乗用車設置装置の機能ブロック図
【図７】上記一実施の形態における駐車場仲介の前半部のシーケンス図
【図８】上記一実施の形態における駐車場仲介の後半部のシーケンス図
【符号の説明】
【００５２】
１０…センタ側システム、１１…駐車場管理サーバ、１２…顧客データベース、１３…駐車場管理データベース、１４…通信制御部、２１…駐車場設置装置、２２…乗用車設置装置、２３…駐車場オーナー装置、２４…無線ネットワーク、３０…開閉装置、３１…演算処理部（駐車場設置装置内）、３２…空車検出センサ、３３…開閉制御部、３４…無線通信機能部（駐車場設置装置内）、４１…演算処理部（駐車場オーナー装置）、４２…メール受信部、４３…ディスプレイ（駐車場オーナー装置）、４４…入出力インターフェース（駐車場オーナー装置）、４５…無線通信機能部（駐車場オーナー装置）、５１…演算処理部（乗用車設置装置内）、５２…ＧＰＳ、５３…ディスプレイ（乗用車設置装置内）、５４…入出力インターフェース（乗用車設置装置内）、５５…無線通信機能部（乗用車設置装置内）
【図１】
2008077444.tif 000003
【図２】
2008077444.tif 000004
【図３】
2008077444.tif 000005
【図４】
2008077444.tif 000006
【図５】
2008077444.tif 000007
【図６】
2008077444.tif 000008
【図７】
2008077444.tif 000009
【図８】
2008077444.tif 000010